(57)【特許請求の範囲】
【請求項１】
建物の壁を貫通し熱交換器及びファン等を収納したキャビネットと、このキャビネットの室内側に突出した端部に取り付けられた前パネルとを備え、この前パネルの上部に横長の開口部を形成し、この開口部には吹出しグリルと運転操作部とを横並びに配置した空気調和装置において、
上記運転操作部がキャビネット及び／又は前パネルの内側に位置する電装ボックスを備え、この電装ボックスが上記開口部の室外側の端縁よりも室外側に配置されていることを特徴とする空気調和装置。
【請求項２】
上記キャビネットと前パネルとの接合部のほぼ真下に前記電装ボックスが配置され、この電装ボックスが、前パネルの室外側の側縁内面に一端が固定され他端がキャビネットの底板に固定された仕切板に取り付けられ、上記接合部のほぼ真下に延在する仕切板の上部が室外側に向けて前下がりに傾斜し、電装ボックスの天板が室内側に向けて前下がりに傾斜する構成を備えたことを特徴とする請求項１記載の空気調和装置。
【請求項３】
上記電装ボックスの天板の室外側の側縁部が、上記仕切板上部の室内側の側縁部よりもわずかに室外側に位置することを特徴とする請求項２記載の空気調和装置。
【発明の詳細な説明】
【０００１】
【発明の属する技術分野】
本発明は、室内熱交換器、室内ファン、室外熱交換器及び室外ファンが一体に設けられた空気調和装置の操作部の構造に関する。
【０００２】
【従来の技術】
一般に、建物の壁を貫通し熱交換器及びファン等を収納したキャビネットと、このキャビネットの室内側に突出した端部に取り付けられた前パネルとを備え、この前パネルの上部に横長の開口部を形成し、この開口部には吹出しグリルと運転操作部とを横並びに配置した空気調和装置が知られている。
【０００３】
従来の構成では、上記運転操作部がキャビネット及び／又は前パネルの内側に位置する電装ボックスを備え、この電装ボックスが上記開口部のほぼ真下に配置されていた（実公平４−４０１１０号公報）。
【０００４】
【発明が解決しようとする課題】
しかし、上記構成の空気調和装置では、建物の壁を貫通するキャビネットが、腰の高さ程度の位置に取り付けられるため、前面パネルやキャビネットの上に例えば飲料水等の入った容器等を置くおそれがある。
【０００５】
ここに置かれた容器等が倒れた場合、飲料水等が操作口内に流れ込んで、電装箱内部に流れ込み、絶縁不良を起こす恐れがあった。
【０００６】
そこで、本発明の目的は、上述の事情を考慮してなされたものであり、電装箱内に飲料水等が入らない空気調和装置を提供することにある。
【０００７】
【課題を解決するための手段】
請求項１記載の発明は、建物の壁を貫通し熱交換器及びファン等を収納したキャビネットと、このキャビネットの室内側に突出した端部に取り付けられた前パネルとを備え、この前パネルの上部に横長の開口部を形成し、この開口部には吹出しグリルと運転操作部とを横並びに配置した空気調和装置において、上記運転操作部がキャビネット及び／又は前パネルの内側に位置する電装ボックスを備え、この電装ボックスが上記開口部の室外側の端縁よりも室外側に配置されていることを特徴とするものである。
【０００８】
請求項２記載の発明は、請求項１記載のものにおいて、前記キャビネットと前パネルとの接合部のほぼ真下に前記電装ボックスが配置され、この電装ボックスが、前パネルの室外側の側縁内面に一端が固定され他端がキャビネットの底板に固定された仕切板に取り付けられ、上記接合部のほぼ真下に延在する仕切板の上部が室外側に向けて前下がりに傾斜し、電装ボックスの天板が室内側に向けて前下がりに傾斜する構成を備えたことを特徴とする。
【０００９】
請求項３記載の発明は、請求項２記載のものにおいて、前記電装ボックスの天板の室外側の側縁部が、上記仕切板上部の室内側の側縁部よりもわずかに室外側に位置することを特徴とする。
【００１０】
【発明の実施の形態】
以下、本発明の実施の形態を、図面に基づき説明する。
【００１１】
図１は、本発明に係る空気調和装置の一実施の形態を示す外観斜視図である。
【００１２】
図２は、図１の空気調和装置において前パネル１８及びキャビネット１９を省略して示す分解斜視図である。
【００１３】
これらの図１及び図２に示す空気調和装置１０は、建物の壁を貫通し、腰の高さ程度の位置に設置され、室内熱交換器１１、室内ファンとしてのクロスフローファン１２（図３）、室外熱交換器１３、室外ファンとしてのプロペラファン１４、及び圧縮機１５等が一体に設けられる一体型の空気調和装置である。
【００１４】
上述の室内熱交換器１１、クロスフローファン１２、室外熱交換器１３、プロペラファン１４及び圧縮機１５等は、キャビネット１８の底板１６上に配置されて空気調和装置本体１７を構成し、この空気調和装置本体１７の前方側、つまり室内熱交換器１１及びクロスフローファン１２の配置側が前パネル１８で覆われ、この空気調和装置本体１７の後方側、つまり室外熱交換器１３、プロペラファン１４及び圧縮機１５の配置側がキャビネット１９により覆われて構成されている。
【００１５】
また、上記キャビネット１９は、角筒（スリーブ）形状に形成されており、このキャビネット１９の一部が室内側に突出し（例えば室内側に約７０ｍｍ突出する）、他部が建物の壁を貫通して据え付けられる。
【００１６】
また、上記前パネル１８は建物の室内に面し、この前パネル１８の前面上部が前下がりに傾斜している。この傾斜した前パネル１８の前面上部には、横長の開口部６５を形成している。この開口部６５には、吹出しグリル４３を配設し、この吹出しグリル４３からは室内へ空気を吐出する。また、この吹出しグリル４３に隣接して、前パネル１８の上方に回転自在に支持される操作扉７０が配設されている。また、前パネル１８の前面下部には、吸込グリル４０が設けられている。この吸込グリル４０からは建物の室内の空気を吸い込む。
【００１７】
図２に示すように、上記空気調和装置本体１７においては、底板１６の前後方向略中央位置に仕切板２０が立設されている。この仕切板２０は、底板１６の全幅方向に亘って延在されている。上記空気調和装置本体１７は、この仕切板２０により、室内熱交換器１１及びクロスフローファン１２等が配置された室内側室２１と、室外熱交換器１３、プロペラファン１４及び圧縮機１５等が配置された室外側室２２とに区画されている。
【００１８】
また、上記仕切板２０は、室内側室２１側に開口を有する箱形状に形成されている。この仕切板２０は、右側面に右側板２０Ａを配置し、左側面には左側板２０Ｂを配置し、室外側室２２側には背面板２０Ｃを配置している。
【００１９】
また、上記仕切板２０の天面の室内側室２１側には、第１天面４１が形成される。この第１天面４１の室外側室２２側の側縁には、図２及び図４に示すように、この第１天面４１の側縁を切り欠いて形成した、取付孔８１が長手方向に複数箇所設けられている。
【００２０】
また、図１に示す上記前パネル１８の上端部には、長手方向に沿って複数箇所爪部（不図示）が設けられる。この前パネル１８の爪部は、上記取付孔８１と同一ピッチで設定されている。
【００２１】
この前パネル１８の爪部が、図２に示す上記取付孔８１に差し込まれ、前パネル１８は仕切板２０に固定される。
【００２２】
従って、空気調和装置１０の前方に配置された前パネル１８は室内側室２１を覆い、また、空気調和装置１０の後方側に配置されたキャビネット１９は、室外側室２２の周囲を画成している。
【００２３】
上記底板１６の室外側室２２側には、室外熱交換器１３、室外ファンケーシング２３、支持脚２４及び圧縮機１５が設置されている。
【００２４】
この圧縮機１５は、室外熱交換器１３、減圧装置（不図示）及び室内熱交換器１１に図示しない冷媒配管を用いて順次接続されており、これらにより冷凍サイクルが構成される。空気調和装置１０の冷房運転時に、室外熱交換器１３が凝縮器として機能し、室内熱交換器１１が蒸発器として機能する。また、空気調和装置１０の暖房運転時に、室外熱交換器１３が蒸発器として、室内熱交換器１１が凝縮器としてそれぞれ機能する。
【００２５】
上記室外ファンケーシング２３は、図３に示すように、室外熱交換器１３に連設されると共に、内部にプロペラファン１４が配設される。このプロペラファン１４は、室外駆動モータ２５により回転駆動され、この室外駆動モータ２５が上記支持脚２４に支持される。また、上記室外側室２２は、室外ファンケーシング２３によって、室外ファンケーシング２３内側の室外吐出室２６と、室外ファンケーシング２３外側の室外吸込室２７とに区画される。
【００２６】
上記プロペラファン１４の回転により、外気は、図３の矢印Ａに示すように、室外熱交換器１３両側の室外吸込口２８から室外吸込室２７内へ吸い込まれ、室外ファンケーシング２３のファン用オリフィス２９を経て室外吐出室２６内へ吐出され、室外熱交換器１３を通って室外吐出口３０から室外へ吐出される。上記室外熱交換器１３は、空気調和装置１０の冷房運転時に外気へ熱を放出し、また、暖房運転時に外気から熱を取り込む。
【００２７】
一方、上記底板１６の室内側室２１側には、ドレンパン３３が設置され、このドレンパン３３に室内熱交換器１１が載置される。
【００２８】
また、上記仕切板２０内には、区画板２０Ｄが設けられ、この区画板２０Ｄによって仕切板２０内部が分割されている。上記仕切板２０内の左側面側には、室内ファンケーシング３４が配置される。この室内ファンケーシング３４は、上記仕切板２０の第１天面４１から湾曲してドレンパン３３に到っている。
【００２９】
上記室内ファンケーシング３４は、室内側室２１側に室内循環室３６と外気導入室３７とを形成する。さらに、室内側室２１には、室内循環室３６及び外気導入室３７に隣接して、電装室４６（図２）が形成される。
【００３０】
上記室内循環室３６内には、室内熱交換器１１、クロスフローファン１２、電気ヒータ５５が配置される。この電気ヒータ５５は、上記室内ファンケーシング３４の下端部に、室内熱交換器１１に隣接して設置される。また、湾曲する室内ファンケーシング３４の内側には、クロスフローファン１２が配置される。このクロスフローファン１２は、図４に示す室内駆動モータ３５により回転駆動される。この室内駆動モータ３５が上記仕切板２０の区画板２０Ｄに支持されている。また、クロスフローファン１２が仕切板２０の左側板２０Ｂと区画板２０Ｄとに支持されている。
【００３１】
さらに、この室内循環室３６内には、エアフィルタ３８及びスタビライザ３９が配置される。エアフィルタ３８は、図１に示す前パネル１８に形成された吸込グリル４０と室内熱交換器１１との間に設置される。また、スタビライザ３９は、室内熱交換器１１の上方に設置されてクロスフローファン１２方向へ膨出して設けられる。このスタビライザ３９により、室内循環室３６内の空気がクロスフローファン１２に良好に吸い込まれ、クロスフローファン１２から良好に吐出される。
【００３２】
クロスフローファン１２の回転により、図３の矢印Ｂに示すように、建物の室内の空気が吸込グリル４０から室内側室２１の室内循環室３６内に取り込まれ、この空気は、エアフィルタ３８、室内熱交換器１１、電気ヒータ５５を順次経てクロスフローファン１２に吸い込まれ、このクロスフローファン１２により吐出されて、吹出しグリル４３から室内へ吹き出される。上記室内熱交換器１１は、空気調和装置１０の冷房運転時に、室内循環室３６内に取り込まれた室内空気を冷却して室内を冷房し、また、暖房運転時に上記室内空気を加熱して室内を暖房する。
【００３３】
上記外気導入室３７は、室外側室２２を経て室内側室２１の室内循環室３６内へ外気を取り込み、建物の室内へ新鮮な空気を供給可能とする換気装置４７を構成する一構成要素である。この換気装置４７は、上記外気導入室３７の他、換気開口４８、換気シャッタ４９及び換気通気部５０Ａを有して構成される。
【００３４】
上記箱形状の仕切板２０の天面には、上記第１天面４１に連設して第２天面４２が形成されている。この第２天面４２は、上記第１天面４１よりも室外側室２２側に、第１天面４１より下段位置に配置している。
【００３５】
また、この第２天面４２の外気導入室３７側には、図４に示すように、第２天面４２の長手方向に、上記換気開口４８が複数個、同一ピッチで並設されている。また、上記第２天面４２の外気導入室３７側には、多数の細穴５１を備えた上記換気シャッタ４９が載置される。これらの細穴５１は群毎にまとめられ、これら複数の細穴群５１Ａが、換気シャッタ４９の長手方向に同一ピッチで配置されている。この細穴群５１Ａのピッチは、第２天面４２の換気開口４８のピッチと略同一に設定されている。上記第２天面４２の電装室４６側には、上記外気導入室３７側に配設された換気開口４８は配設されず、平滑面を有している。
【００３６】
また、換気シャッタ４９には両端部に、換気シャッタ４９の長手方向に延びる長孔５２が形成される。換気シャッタ４９は、この長孔５２を貫通するビス５３によって、仕切板２０の第２天面４２に、この第２天面４２及び換気シャッタ４９の長手方向にスライド自在に取り付けられる。
【００３７】
換気シャッタ４９のスライドにより、換気開口４８の開度が任意の位置に調整され、この換気開口４８の開操作により、図３の矢印Ｃに示すように、室外側室２２内に流入した外気がキャビネット１９に案内されて、換気シャッタ４９の細穴５１及び第２天面４２の換気開口４８を通り、外気導入室３７内に導入される。
【００３８】
また、上記仕切板２０の第２天面４２は、上記室外側室２２側へ向かって前下がりに傾斜している。これにより、上記換気開口４８が室外側室２２側へ向かって下方に傾斜して構成されるから、第２天面４２とキャビネット１９との間の外気の流動面積が、第２天面４２が水平の場合に比べて拡大される。
【００３９】
なお、図２及び図４に示すように、換気シャッタ４９には、一端部に操作レバー５４が一体に結合されている。この操作レバー５４は、室内熱交換器１１側へ延在して配設される。この操作レバー５４は、前パネル１８の取り外し時等に操作可能とされ、この操作レバー５４を水平方向に操作することによって、上記換気シャッタ４９がワイヤ等を介することなく直接スライドされ、換気開口４８の開度が任意に調整可能とされる。ここで、図２及び図４に示す換気シャッタ４９の細穴５１は、上記換気開口４８の開口面積に比べて著しく小さな穴径に形成されるのが望ましい。この場合、この細穴５１がエアフィルタの機能を果たし、例えば虫等の侵入を防止することができる。
【００４０】
前記換気通気部５０Ａは、室内ファンケーシング３４の下部に切り起こし処理等により複数の通気口５０が並設されて、鎧戸形状に形成されている。この換気通気部５０Ａは、仕切板２０のドレン開口４４に対応する位置を除いて、室内ファンケーシング３４の長手方向に複数設けられる。
【００４１】
クロスフローファン１２の回転時には、図３の矢印Ｃに示すように、換気シャッタ４９の細穴５１及び第２天面４２の換気開口４８を経て外気導入室３７内に外気が導入され、湾曲形状の室内ファンケーシング３４の外側を通って下方へ流動し、複数の換気通気部５０Ａの通気口５０を経て室内循環室３６内へ導かれる。この室内循環室３６内に導かれた外気は、室内熱交換器１１により空気調和された室内空気と混合して、図３の矢印Ｂに示すように、前パネル１８の吹出しグリル４３から建物の室内へ吐出する。従って、建物の室内に新鮮な空気が供給される。
【００４２】
図２に示すように、上記電装室４６には、運転操作部７１が配設される。この運転操作部７１は、操作ボックス７２と、電装ボックス７７とを有し構成される。
【００４３】
上記操作ボックス７２は、図６に示すように、裏面及び底面が開口した箱形状を有している。正面には四角形状の板７２Ａを配置し、右側面には板７２Ｂ、左側面には７２Ｃを配置している。これら板７２Ｂ、７２Ｃは台形形状を有し、台形の傾斜辺が正面側に前下がりに向いて配置されている。また、これら板７２Ｂ，７２Ｃの裏面側の下部には、矩形形状の切り欠きが設けられている。
【００４４】
上面には、中央に二箇所孔７２Ｆが配設された上面板７２Ｄを配置している。この板７２Ｄの正面側の辺は、上記正面に配置した板７２Ａの上辺に取付られている。上記板７２Ｄの右辺は板７２Ｂの傾斜辺に取付られ、上記７２Ｄの左辺は上記板７２Ｃの傾斜辺に取付られている。また、上面の板７２Ｄの裏面側の辺には、上面の上方に延出する爪部７２Ｅが設けられている。この爪部７２Ｅは上記板７２Ｄを底面に対し垂直方向折り曲げ形成している。
【００４５】
上記電装ボックス７７は、この正面上部が上記操作ボックス７２の板７２Ｂ、７２Ｃの裏面側の辺の一部に固定されている。この電装ボックス７７の正面には、基板取付板７７Ａを配置し、この基板取付板７７Ａの右側縁が裏面側に向かって折り曲げて、補強している。
【００４６】
上記電装ボックス７７は、この基板取付板７７Ａを支持する支持板７７Ｂ，７７Ｃ，７７Ｄとから構成されている。
【００４７】
底面には、四角形状の底板７７Ｃが配設される。この底板７７Ｃは、上記基板取付板７７Ａの下辺に、板７７Ａに対し垂直に取付られている。また、上記底板７７Ｃの裏面側縁は折り曲げて、補強している。
【００４８】
左側面には支持板７７Ｂが配設される。この支持板７７Ｂの正面側の辺が基板取付板７７Ａの左辺に取付られ、この支持板７７Ｂの底面側の辺が底板７７Ｃの左辺に取付られる。また、この支持板７７Ｂには、正面側上部に裏面側から正面側に前下りに傾く傾斜部を有している。
【００４９】
上面には、天板７７Ｄが配置されている。この天板７７Ｄは、四角形状を有し、正面側の辺及び裏面側の辺が基板取付板７７Ａの上辺よりも若干短く、右辺及び左辺が上記左側面の支持板７７Ｂの傾斜部の辺長さに等しく形成されている。この天板７７Ｄの正面側の辺が基板取付板７７Ａの上辺に取付られ、この天板７７Ｄの左辺が上記支持板７７Ｂの傾斜辺に取り付けられている。従って、上記電装ボックス７７の上面は、正面側に前下りに傾斜する傾斜面が形成し、裏面側に開口部が形成している。
【００５０】
これら操作ボックス７２と電装ボックス７７とが、図２及び図５に示すように、上記室内側室２１の前方から電装室４６内に挿入されて、上記仕切板２０に取付けられる。図５は、運転操作部７１を本体正面に対し右側面からみた縦断面図である。
【００５１】
上記操作ボックス７２は、図５に示すように、前パネル１８の操作扉７０のほぼ真下に配置される。上記操作ボックス７２は、上記電装ボックス７２の爪部７２Ｅが上記仕切板２０の第１天面４１の側縁部４１Ａの裏側に差し込まれ、この第１天面側部４１Ａと上記爪部７２Ｅとがビス止めして固定されている。
【００５２】
これにより、上記仕切板２０の上面と上記第１天面４１との接合部に隙間が無くなるから、この接合部から第１天面４１の内側に飲料水等が侵入することを防止できる。
【００５３】
また、上記操作ボックス７２の内側には、第１基板７６が設けられている。この第１基板７６は、上記操作ボックス７２の上面板７２Ｄの内側に、上面板７２Ｄの面に沿って平行に取付られている。
【００５４】
上記操作ボックス７２の上面板７２Ｄには、図２に示すように、操作パネル７３、運転スイッチ７４が取り付けられる。この操作パネル７３の表面のほぼ中央には、孔７３Ａ，７３Ｂが設けられており、これら孔７３Ａ，７３Ｂは上記操作ボックス７２の上面板７２Ｄの孔７２Ｆに重なる。上記孔７３Ａの周囲には温度調節用の目盛りが表記され、上記孔７３Ｂの周囲には風量調節用の目盛りが表記されている。そして、運転スイッチ７４が、上記上面板７２Ｄの孔７２Ｆ及び上記操作パネル７３の孔７３Ａ，７３Ｂを貫通して、上記操作ボックス７２の第１基板７６に取付られる。
【００５５】
なお、上記操作ボックス７２の上面板７２Ｄの孔７２Ｆ周辺には、シール（不図示）が貼付されている。このシールは、上記操作パネル７３或いは運転スイッチ７４に飲料水等がかかった場合、飲料水等が上記操作パネル７３或いは運転スイッチ７４から、上記操作パネル７３の孔７３Ａ，７３Ｂ及び上記操作ボックス７２の孔７２Ｆを介して、上記操作ボックス７２の内側に侵入するのを防止する。
【００５６】
本実施の形態では、上記電装ボックス７７が上記仕切板２０内に埋設され、この電装ボックス７７が上記仕切板２０の右側板２０Ａの内側に配置される。そして、上記電装ボックス７７の右側縁が上記右側板２０Ａの室内側室２１側の側縁に重ねられて、複数箇所ネジ止めして固定される。
【００５７】
また、図５に示すように、上記電装ボックス７７の内側には、第２基板７８が設けられる。この第２基板７８は、上記電装ボックス７７の底板７７Ｃと天板７７Ｄとの間に配置し、上記基板取付板７７Ａに平行に、上記基板取付板７７Ａより室外側室２２側に例えば約５ｍｍ浮かした状態で取り付けられている。
【００５８】
これにより、飲料水等が上記電装ボックス７７内部に侵入した場合、基板取付板７７Ａの内側の面を伝わり、底板７７Ｃの内側に流れるから、上記第２基板７８に飲料水等がかかることはない。従って、電装部品の保護が図られる。
【００５９】
以上のように構成されたことから本実施の形態では、上記電装ボックス７７が上記仕切板２０内に配設され、上記前パネル１８の開口部６５の室外側室２２側の側縁より室外側室２２側に位置する。また、上記前パネル１８とキャビネット１９との接合部８０のほぼ真下には、上記仕切板２０の第２天面４２が位置する。
【００６０】
上記前面パネル１８やキャビネット１９の上に例えば飲料水等の入った容器等が置かれ、ここに置かれた容器等が倒れて、容器等内の飲料水等が前パネル１８の開口部６５に配設された操作扉７０にかかり、この操作扉７０の縁から、操作扉７０の内側に侵入する場合には、上記操作ボックス７２及び操作パネル７３の上面に滴下し、この滴下水が、図５中矢印Ｄに示すように、上記操作ボックス７２上面及び操作パネル７３上面の傾斜方向に導かれ、上記操作ボックス７２の正面を伝わり底板１６に落下する。
【００６１】
従って、上記電装ボックス７７の内部に飲料水等が入らず、電装部品の保護が図られる効果がある。
【００６２】
また、上記前面パネル１８とキャビネット１９との接合部のほぼ真下には、第２天面４２と仕切板２０の取付孔８１が位置する。また、この取付孔８１のほぼ真下には上記電装ボックス７７の天板７７Ｄが位置している。
【００６３】
上記容器等内の飲料水等が上記前パネル１８及びキャビネット１９にかかり、前パネル１８とキャビネット１９との接合部８０から、上記前パネル１８及びキャビネット１９の内側に侵入する場合には、図５中矢印Ｅに示すように、第２天面４２に滴下して、この滴下水が第２天面の傾斜方向に導かれ、仕切板２０の背面板２０Ｄの室外側室２２側を伝わり底板１６上に流れる。
【００６４】
さらに、前パネル１８とキャビネット１９との接合部８０から侵入した飲料水等が、上記仕切板２０の取付孔８１から仕切板２０の内側に流れこむ場合には、図５中矢印Ｆに示すように、上記電装ボックス７７の天板７７Ｄ上に滴下して、この滴下水が上記天板７７Ｄの傾斜方向に導かれ、上記電装ボックス７７の基板取付板７７Ａの室内側室２１側を伝わり、底板１６上に落下する。
【００６５】
従って、上記電装ボックス７７の内部に飲料水等が入らず、電装部品の保護が図られる効果がある。
【００６６】
また、電装ボックス７７上面の天板７７Ｄは、上記仕切板２０の第１天面の内側に位置し、上記天板７７Ｄの室外側室２２側の側縁部が上記第２天面の室内側室２１側の側縁部よりも僅かに室外側室２２側に位置する。
【００６７】
上記前パネル１８とキャビネット１９との接合部８０から侵入した飲料水等が上記仕切板２０の取付孔８１から仕切板２０の内側に流れこむ場合には、上記天板７７Ｄの室外側室２２側の側縁部よりも室内側室２１側に滴下する。
【００６８】
従って、上記電装ボックス７７の内部に飲料水等が入らず、電装部品の保護が図られると共に、上記天板７７Ｄの長さを短くして、電装ボックス７７の製造コストを低減できるという効果がある。
【００６９】
また、上記電装ボックス７７が仕切板２０の右側面２０Ａの内側に取り付けられ、上記電装ボックス７７の裏面と右側面とが仕切板２０に覆われる。
【００７０】
従って、上記電装ボックス７７はほぼ全面を囲む箱形を形成して、従来のように全閉した箱形状よりも製造コストを低減できる効果がある。
【００７１】
以上、本発明を上記実施の形態に基づいて説明したが、本発明はこれに限定されるものではない。
【００７２】
【発明の効果】
本発明では、開口部から侵入した飲料水等が電装ボックス内に入らないため、電装部品の保護が図られる効果がある。
【図面の簡単な説明】
【図１】本発明に係る空気調和装置の一実施の形態を示す外観斜視図である。
【図２】本発明に係る空気調和装置の本体を示す分解斜視図である。
【図３】本発明に係る空気調和装置の縦断面図である。
【図４】本発明に係る空気調和装置の仕切板、クロスフローファン及び換気装置等を示す分解斜視図である。
【図５】本発明に係る空気調和装置の運転操作部を示す縦断面図である。
【図６】本発明に係る空気調和装置の操作ボックス、電装ボックスを示す斜視図である。
【符号の説明】
１０  空気調和装置
１１  室内熱交換器
１２  クロスフローファン（室内ファン）
１３  室外熱交換器
１４  プロペラファン（室外ファン）
１６  底板
１８  前パネル
１９  キャビネット
２０  仕切板
２１  室内側室
２２  室外側室
４１  第１天面
４２  第２天面
６５  開口部
７０  操作扉
７１  運転操作部
７２  操作ボックス
７６  第１基板
７７  電装ボックス
７７Ｄ  天板
７８  第２基板
８０  接合部
【図１】
0004596709.tif 000002
【図２】
0004596709.tif 000003
【図３】
0004596709.tif 000004
【図４】
0004596709.tif 000005
【図５】
0004596709.tif 000006
【図６】
0004596709.tif 000007